(57)【要約】  複数スロットにわたってＰＤＳＣＨの送信候補領域が設定される場合であっても送達確認信号の送信を適切に制御するために、本開示の一態様に係るユーザ端末は、複数のスロットにわたって候補オケージョンが設定される１以上の下り共有チャネルを受信する受信部と、前記下り共有チャネルに対する送達確認信号の生成を候補オケージョン単位、スロット単位、及び下り共有チャネルの送信単位の少なくとも一つに基づいて制御する制御部と、を有する。
2020017055.tif 000002
【特許請求の範囲】
【請求項１】
複数のスロットにわたって候補オケージョンが設定される１以上の下り共有チャネルを受信する受信部と、
前記下り共有チャネルに対する送達確認信号の生成を候補オケージョン単位、スロット単位、及び下り共有チャネルの送信単位の少なくとも一つに基づいて制御する制御部と、を有することを特徴とするユーザ端末。
【請求項２】
前記制御部は、異なるトランスポートブロックに対応する下り共有チャネルの候補オケージョンが重複する場合、同一スロット内において前記異なるトランスポートブロックに対応する下り共有チャネルを受信しないと想定することを特徴とする請求項１に記載のユーザ端末。
【請求項３】
前記制御部は、異なるトランスポートブロックに対応する下り共有チャネルの候補オケージョンが重複する場合、同一スロット内において前記異なるトランスポートブロックに対応する下り共有チャネルの受信を想定することを特徴とする請求項１に記載のユーザ端末。
【請求項４】
前記制御部は、同一スロット内の同一シンボルにおいて前記異なるトランスポートブロックに対応する下り共有チャネルを受信しないと想定することを特徴とする請求項３に記載のユーザ端末。
【請求項５】
前記制御部は、前記候補オケージョン単位、前記スロット単位、及び前記下り共有チャネルの送信単位の少なくとも一つに基づいて前記送達確認信号のコードブックの生成を行うことを特徴とする請求項１から請求項４のいずれかに記載のユーザ端末。
【請求項６】
複数のスロットにわたって候補オケージョンが設定される１以上の下り共有チャネルを受信する工程と、
前記下り共有チャネルに対する送達確認信号の生成を候補オケージョン単位、スロット単位、及び下り共有チャネルの送信単位の少なくとも一つに基づいて制御する工程と、を有することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）では、ユーザ端末（ＵＥ：User  Equipment）は、下り制御チャネル（例えば、ＰＤＣＣＨ：Physical  Downlink  Control  Channel）を介して伝送される下り制御情報（ＤＣＩ：Downlink  Control  Information、ＤＬアサインメント等ともいう）に基づいて、下り共有チャネル（例えば、ＰＤＳＣＨ：Physical  Downlink  Shared  Channel）の受信を制御する。また、ユーザ端末は、ＤＣＩ（ＵＬグラント等ともいう）に基づいて、上り共有チャネル（例えば、ＰＵＳＣＨ：Physical  Uplink  Shared  Channel）の送信を制御する。【０００５】
また、既存のＬＴＥシステムでは、１ｍｓのサブフレーム（伝送時間間隔（ＴＴＩ：Transmission  Time  Interval）などともいう）を用いて、下りリンク（ＤＬ：Downlink）および上りリンク（ＵＬ：Uplink）の通信が行われる。当該サブフレームは、チャネル符号化された１データパケットの送信時間単位であり、スケジューリング、リンクアダプテーションおよび再送制御（ＨＡＲＱ：Hybrid  Automatic  Repeat  Request）などの処理単位となる。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＮＲ、５Ｇ、５Ｇ＋又はＲｅｌ．１５以降）では、所定のチャネル（例えば、ＰＤＳＣＨ、ＰＵＳＣＨ等）及び信号の少なくとも一つ（チャネル／信号）を繰り返して（repetition）送信することが検討されている。繰り返し送信は、例えば、ＵＲＬＬＣ（Ultra  Reliable  and  Low  Latency  Communications）等、超高信頼及び低遅延のサービスに有用であると考えられる。【０００８】
例えば、基地局は、下り制御情報を利用して、複数スロットにわたってＰＤＳＣＨの送信候補領域（候補オケージョン、ＰＤＳＣＨオケージョン又は割当候補領域とも呼ぶ）をＵＥに通知することが考えられる。複数のスロットにわたってＰＤＳＣＨの候補オケージョンが設定される構成は、マルチスロットＰＤＳＣＨ送信とも呼ばれる。この場合、基地局は、異なるＰＤＳＣＨ（例えば、異なるトランスポートブロック）の候補オケージョンの少なくとも一部が重複するように各ＰＤＳＣＨの候補オケージョンを設定することも想定される。【０００９】
このように、複数スロット（マルチスロット）にわたって１以上のＰＤＳＣＨの候補オケージョンを設定する場合、各ＰＤＳＣＨに対する送達確認信号（例えば、ＨＡＲＱ−ＡＣＫ、ＡＣＫ／ＮＡＣＫ、Ａ／Ｎ等）の送信をどのように制御するかが問題となる。各ＰＤＳＣＨに対するＨＡＲＱ−ＡＣＫが適切にフィードバックされない場合、通信品質が劣化するおそれもある。【００１０】
そこで、本開示は、複数スロットにわたってＰＤＳＣＨの送信候補領域が設定される場合であっても送達確認信号の送信を適切に制御できるユーザ端末及び無線通信方法を提供することを目的の１つとする。
【課題を解決するための手段】
【００１１】
本開示の一態様に係るユーザ端末は、複数のスロットにわたって候補オケージョンが設定される１以上の下り共有チャネルを受信する受信部と、前記下り共有チャネルに対する送達確認信号の生成を候補オケージョン単位、スロット単位、及び下り共有チャネルの送信単位の少なくとも一つに基づいて制御する制御部と、を有することを特徴とする。
【発明の効果】
【００１２】
本開示の一態様によれば、複数スロットにわたってＰＤＳＣＨの送信候補領域が設定される場合であっても送達確認信号の送信を適切に制御することが可能となる。
【図面の簡単な説明】
【００１３】
【図１】図１は、ＰＤＳＣＨの繰り返し送信の一例を示す図である。
【図２】図２は、ＰＤＳＣＨの候補オケージョンの設定の一例を示す図である。
【図３】図３は、第１の態様に係るＨＡＲＱ−ＡＣＫ送信の一例を示す図である。
【図４】図４Ａ−図４Ｃは、第１の態様に係る異なるＴＢに対応するＰＤＳＣＨの割当ての一例を示す図である。
【図５】図５は、第２の態様に係るＨＡＲＱ−ＡＣＫ送信の一例を示す図である。
【図６】図６は、第３の態様に係るＨＡＲＱ−ＡＣＫ送信の一例を示す図である。
【図７】図７は、本実施の形態に係る無線通信システムの概略構成の一例を示す図である。
【図８】図８は、本実施の形態に係る無線基地局の全体構成の一例を示す図である。
【図９】図９は、本実施の形態に係る無線基地局の機能構成の一例を示す図である。
【図１０】図１０は、本実施の形態に係るユーザ端末の全体構成の一例を示す図である。
【図１１】図１１は、本実施の形態に係るユーザ端末の機能構成の一例を示す図である。
【図１２】図１２は、本実施の形態に係る無線基地局及びユーザ端末のハードウェア構成の一例を示す図である。
【発明を実施するための形態】
【００１４】
将来の無線通信システム（例えば、ＮＲ、５Ｇ、５Ｇ＋又はＲｅｌ．１５以降）では、チャネル及び信号の少なくとも一つ（チャネル／信号）を繰り返して（repetition）送信することが検討されている。当該チャネル／信号は、例えば、ＰＤＳＣＨ、ＰＤＣＣＨ、ＰＵＳＣＨ、ＰＵＣＣＨ、ＤＬ−ＲＳ、上り参照信号（ＵＬ−ＲＳ）等であるが、これに限られない。
【００１５】
図１は、ＰＤＳＣＨの繰り返し送信の一例を示す図である。図１では、単一のＤＣＩにより所定数の繰り返しのＰＤＳＣＨがスケジューリングされる一例が示される。当該繰り返しの回数は、繰り返し係数（repetition  factor）Ｋ又はアグリゲーション係数（aggregation  factor）Ｋとも呼ばれる。例えば、図１では、繰り返し係数Ｋ＝４であるが、Ｋの値はこれに限られない。また、ｎ回目の繰り返しは、ｎ回目の送信機会（transmission  occasion）等とも呼ばれ、繰り返しインデックスｋ（０≦ｋ≦Ｋ−１）によって識別されてもよい。
【００１６】
このように、下り制御情報（例えば、１つのＤＣＩ）を利用して複数のスロットで送信されるデータ（例えば、ＰＤＳＣＨ）をスケジューリングすることをマルチスロットスケジューリング、マルチスロットアグリゲーション、又はマルチスロットＰＤＳＣＨとも呼ぶ。ＰＤＳＣＨのマルチスロットスケジューリングでは、複数のスロットにわたって設定される送信候補領域（候補オケージョン、又は割当候補領域とも呼ぶ）の少なくとも一つでＰＤＳＣＨが送信される構成としてもよい。
【００１７】
例えば、図１では、ユーザ端末は、繰り返し係数Ｋを示す情報を上位レイヤレイヤシグナリングにより受信する。ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００１８】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００１９】
ＵＥは、所定スロット（例えば、スロット＃ｎ）においてＰＤＳＣＨをスケジューリングするＤＣＩを受信した場合、当該所定スロット＃ｎ以降のＫ個のスロット（例えば、連続するスロット）においてＰＤＳＣＨのモニタを行う。図１では、スロット＃ｎ＋１〜スロット＃ｎ＋４があるＰＤＳＣＨの候補オケージョンに相当する。Ｋ個のスロットで構成されるＰＤＳＣＨの候補オケージョンのうち複数のスロットでＰＤＳＣＨが送信される場合、同じＰＤＳＣＨ（例えば、同じトランスポートブロック）が送信される構成としてもよい。
【００２０】
具体的には、ＵＥは、あるサービングセル又は当該あるサービングセル内の部分的な帯域（帯域幅部分（ＢＷＰ：Bandwidth  Part））において繰り返し送信されるＰＤＳＣＨをスケジューリングする当該ＤＣＩを検出してもよい。ＢＷＰは、上り（ＵＬ：Uplink）用のＢＷＰ（ＵＬ  ＢＷＰ、上りＢＷＰ）及び下り（ＤＬ：Downlink）用のＢＷＰ（ＤＬ  ＢＷＰ、下りＢＷＰ）を有してもよい。すなわち、ユーザ端末は、あるサービングセル又は当該あるサービングセル内で、上り（ＵＬ：Uplink）用のＢＷＰ（ＵＬ  ＢＷＰ、上りＢＷＰ）及び下り（ＤＬ：Downlink）用のＢＷＰ（ＤＬ  ＢＷＰ、下りＢＷＰ）を用いて通信を行う。
【００２１】
ＵＥは、ＤＬ  ＢＷＰ内に設定されるＣＯＲＥＳＥＴ（当該ＣＯＲＥＳＥＴに関連付けられる一以上のサーチスペースのセット（ＳＳセット）又は当該ＳＳセットを構成するＰＤＣＣＨ候補）を監視（monitor）して、当該ＤＣＩを検出してもよい。ＵＥは、当該ＤＣＩを検出したスロットから所定期間後のＫ個の連続するスロットの少なくとも一つで当該ＰＤＳＣＨを受信する。
【００２２】
一方で、複数のスロットにわたってＰＤＳＣＨの候補オケージョンが設定される場合、複数のＰＤＳＣＨ（例えば、異なるＴＢ）にそれぞれ対応する複数の候補オケージョンが重複して設定されることも考えられる（図２参照）。図２では、ＰＤＳＣＨの候補オケージョン＃１がスロット＃ｎ−４〜＃ｎ−１に設定される。なお、ＵＥは、ＰＤＳＣＨのスケジューリングを指示するＤＣＩと、基地局から通知される繰り返し係数Ｋ（ここでは、Ｋ＝４）に基づいて、ＰＤＳＣＨ候補オケージョン＃１を認識してもよい。当該ＤＣＩは、スロット＃ｎ−４以前のスロット（例えば、スロット＃ｎ−４）で送信されてもよい。
【００２３】
また、図２では、ＰＤＳＣＨの候補オケージョン＃２がスロット＃ｎ−５〜＃ｎ−２に設定され、候補オケージョン＃３がスロット＃ｎ−６〜＃ｎ−３に設定され、候補オケージョン＃４がスロット＃ｎ−７〜＃ｎ−４に設定され、候補オケージョン＃５がスロット＃ｎ−８〜＃ｎ−５に設定され、候補オケージョン＃６がスロット＃ｎ−９〜＃ｎ−６に設定される。ＵＥは、候補オケージョン＃１と同様に、候補オケージョン＃２〜＃６について各候補オケージョンに対応するＤＣＩと繰り返し係数Ｋに基づいて認識してもよい。
【００２４】
あるいは、ＵＥは、ＰＤＳＣＨのスケジューリングを指示するＤＣＩが送信され得るＰＤＣＣＨ検出候補リソースと、当該ＤＣＩでスケジューリングされるＰＤＳＣＨの候補割り当て時間リソース、そして基地局から通知される繰り返し係数Ｋ（ここでは、Ｋ＝４）に基づいて、起こり得るすべてのＰＤＳＣＨ候補オケージョンを認識してもよい。例えばＰＤＣＣＨ検出候補リソースが毎スロットであり、ＰＤＳＣＨのスケジューリングの候補リソースも毎スロットであり、かつＫ＝４の場合、図２のＰＤＳＣＨ候補オケージョン＃１〜＃６が認識される。
【００２５】
各候補オケージョン＃１−＃６では、それぞれ異なるＰＤＳＣＨ（例えば、ＴＢ）が送信される構成としてもよい。ＵＥは、各候補オケージョンを構成する少なくとも一つのスロットにおいてそれぞれＰＤＳＣＨを受信できる。
【００２６】
一方で、複数のスロットにわたってＰＤＳＣＨの候補オケージョンが設定される場合、当該ＰＤＳＣＨに対するＨＡＲＱ−ＡＣＫの送信をどのように制御するかが問題となる。各ＰＤＳＣＨに対するＨＡＲＱ−ＡＣＫが適切にフィードバックされない場合、通信品質が劣化するおそれもある。
【００２７】
そこで、本発明者らは、複数のスロットにわたってＰＤＳＣＨの候補オケージョンが設定される場合、当該候補オケージョン単位とスロット単位に着目してＰＤＳＣＨに対するＨＡＲＱ−ＡＣＫ送信を制御することを着想した。
【００２８】
また、本発明者等は、同じスロットにおいて異なるＰＤＳＣＨ（例えば、異なるＴＢ）のスケジューリング（又は、異なるＰＤＳＣＨの候補オケージョンにおいてＰＤＳＣＨ割当て）の適用有無に基づいてＨＡＲＱ−ＡＣＫ送信を制御することを着想した。
【００２９】
以下、本実施の形態について、図面を参照して詳細に説明する。以下の説明では、ＰＤＳＣＨ（例えば、ＤＬデータ）の受信と、当該ＰＤＳＣＨに対するＨＡＲＱ−ＡＣＫについて説明するが、本実施の形態が適用可能な信号又はチャネルはこれに限られない。また、以下の説明では、ＨＡＲＱ−ＡＣＫのコードブックサイズが準静的に設定される場合（タイプ１）を例に挙げて説明するが、これに限られずＨＡＲＱ−ＡＣＫのコードブックサイズが動的に設定される場合（タイプ２）に対しても適用してもよい。
【００３０】
（第１の態様）
第１の態様では、下り共有チャネル（例えば、ＰＤＳＣＨ）の候補オケージョン単位でＨＡＲＱ−ＡＣＫ送信を制御する。以下の説明では、繰り返し係数Ｋ（aggregationFactorDL）が４である場合、例えば、連続する４スロットにわたってＰＤＳＣＨの候補オケージョンが設定される場合、を例に挙げて説明する。もちろん、適用可能な繰り返し数はこれに限られず、候補オケージョンは非連続のスロットに設定されてもよい。また、複数スロットで送信されるＰＤＳＣＨの各スロットにおける時間リソース割り当て（例えば、ＰＤＳＣＨの割当てシンボル）は、スロット間で同じであってもよいし、違っていてもよい。
【００３１】
図３は、複数のスロット（ここでは、４スロット）にわたるＰＤＳＣＨが設定され、ＰＤＣＣＨのモニタリングオケージョンが毎スロットであり、かつＰＤＳＣＨの割り当て候補時間リソースがスロット（つまりスロット内のシンボル＃０〜シンボル＃１３）である場合の一例を示している。この場合、異なるトランスポートブロックを送信するＰＤＳＣＨの候補オケージョンが重複（オーバーラップ）して設定されてもよい（図３参照）。
【００３２】
図３では、Ｋの値、ＰＤＣＣＨのモニタリングオケージョン、そしてＰＤＳＣＨの割り当て候補時間リソースから、ＰＤＳＣＨの候補オケージョン＃１−６が上記図２と同様に設定される。ＵＥは、ＰＤＳＣＨのスケジューリングを指示するＤＣＩと、基地局から通知される繰り返し係数Ｋ（ここでは、Ｋ＝４）に基づいて、各候補オケージョンが設定される位置及び範囲の少なくとも一方を認識してもよい。
【００３３】
候補オケージョン＃１に対応するＰＤＳＣＨ送信（マルチスロットＰＤＳＣＨ送信）は、候補オケージョン＃１の先頭スロット＃ｎ−４、又は当該先頭スロット＃ｎ−４より前のスロットで送信される１つのＤＣＩによりスケジューリングされてもよい。また、繰り返し送信毎にＤＣＩが送信される構成（例えば、スロット＃ｎ−４〜スロット＃ｎ−１においてそれぞれＤＣＩが送信される構成）であってもよい。他の候補オケージョン＃２−＃６についても同様に設定できる。
【００３４】
複数の候補オケージョンが時間方向において重複する場合、所定範囲（例えば、１スロット）において、異なるＴＢを送信する複数のＰＤＳＣＨのスケジューリング（又は、送信）がサポートされない構成（構成１）とサポートされる構成（構成２）が考えられる。以下に、構成１と構成２におけるＨＡＲＱ−ＡＣＫ送信について説明する。
【００３５】
＜構成１＞
構成１では、所定範囲（例えば、１スロット）において、異なるＴＢを送信する複数のＰＤＳＣＨのスケジューリング（又は、送信）がサポートされない場合を想定する。例えば、図３では、スロット＃ｎ−４において候補オケージョン＃１−＃４が設定されるが、実際に送信されるＰＤＳＣＨ（又は、ＴＢ）は１つ以下に制限される。スロット＃ｎ−４において候補オケージョン＃１に対応するＰＤＳＣＨ（又は、ＴＢ）がスケジューリングされる場合、他のＴＢに対応する候補オケージョン＃２−＃４ではＰＤＳＣＨがスケジューリングされないように制御してもよい。
【００３６】
ＵＥは、１スロットにおいて、異なるＴＢに対応する複数のＰＤＳＣＨが送信される（又は、複数のＰＤＳＣＨを受信する）ことは想定せずに受信処理を行う。ネットワーク（例えば、基地局）は、複数の候補オケージョンが同じ時間領域で重複する場合であっても、所定範囲（例えば、１スロット）において異なるＴＢに対応するＰＤＳＣＨがオーバーラップしないようにスケジューリングを制御する。これにより、ＵＥにおける処理負荷の増大を抑制し、ＰＤＳＣＨの送受信及び当該ＰＤＳＣＨに対するＨＡＲＱ−ＡＣＫ送信を適切に行うことができる。
【００３７】
ＵＥは、所定範囲（例えば、１スロット）において、異なるＴＢに対応するＰＤＳＣＨの受信有無（サポート有無）に関するＵＥ能力情報を基地局に通知してもよい。基地局は、ＵＥからのＵＥ能力情報に基づいて、ＰＤＳＣＨのスケジューリングを制御してもよい。例えば、１スロットにおいて異なるＴＢに対応するＰＤＳＣＨの受信をサポートしない旨を通知したＵＥに対しては、異なるＴＢに対応するＰＤＳＣＨが１スロットで重複しないようにスケジューリングを制御すればよい。
【００３８】
また、ＵＥは、受信したＰＤＳＣＨについて、候補オケージョン毎に（又は、候補オケージョン単位で）ＨＡＲＱ−ＡＣＫの生成及び送信の少なくとも一方を行ってもよい。図３では、候補オケージョン＃１に対応するＰＤＳＣＨ（例えば、スロット＃ｎ−４〜＃ｎ−１で送信されるＰＤＳＣＨ）ついてＨＡＲＱ−ＡＣＫを生成する。候補オケージョン＃１において複数のＰＤＳＣＨ（例えば、複数の同一ＴＢ）が送信される場合、ＵＥはソフトコンバイニングを適用して１ビットのＨＡＲＱ−ＡＣＫを生成してもよい。ＵＥは、他の候補オケージョン＃２−＃６についても同様にＨＡＲＱ−ＡＣＫを生成すればよい。
【００３９】
ＵＥは、ＨＡＲＱ−ＡＣＫコードブックサイズが準静的に設定される場合（タイプ１のＨＡＲＱ−ＡＣＫコードブックとも呼ぶ）、候補オケージョン毎にＨＡＲＱ−ＡＣＫのビットを生成して基地局に送信してもよい。
【００４０】
各候補オケージョンに対応するＨＡＲＱ−ＡＣＫの送信タイミングは下り制御情報等を利用してＵＥに通知してもよい。例えば、基地局は、下り制御情報（例えば、ＤＣＩフォーマット１＿０又は１＿１）の所定フィールド（例えば、PDSCH-to-HARQ-timing-indicator  field）を利用してＰＤＳＣＨに対するＨＡＲＱ−ＡＣＫの送信タイミング（例えば、Ｋ１）を通知してもよい。
【００４１】
ＵＥは、基地局から送信されたＨＡＲＱ−ＡＣＫの送信タイミングに関する情報に基づいてＨＡＲＱ−ＡＣＫの送信を制御してもよい。この場合、ＵＥは、候補オケージョンに含まれるスロットのうち最後のスロットを基準としてＨＡＲＱ−ＡＣＫの送信タイミングを判断してもよい。
【００４２】
例えば、ＵＥは、候補オケージョン＃１（スロット＃ｎ−４〜スロット＃ｎ−１の少なくとも一つ）において受信したＰＤＳＣＨに対するＨＡＲＱ−ＡＣＫのタイミングを、スロット＃ｎ−１を基準として決定してもよい。一例として、ＵＥは、スロット＃ｎ−１＋Ｋ１が候補オケージョン＃１のＨＡＲＱ−ＡＣＫ送信タイミングであると判断してもよい。ここで、Ｋ１は、当該ＰＤＳＣＨをスケジューリングするＤＣＩによって通知される値であってもよいし、上位レイヤシグナリングで設定された値であってもよい。なお、ＨＡＲＱ−ＡＣＫの送信タイミングの基準スロットは、これに限られず候補オケージョンにおいて最後にＤＣＩを受信したスロット等であってもよい。
【００４３】
また、ＨＡＲＱ−ＡＣＫコードブックサイズが準静的に設定される場合、ＰＤＳＣＨに対するＨＡＲＱ−ＡＣＫの複数の送信タイミング候補（例えば、Ｋ１が｛１、２、３、４、５、６、７、８｝）を想定してＨＡＲＱ−ＡＣＫ送信（例えば、コードブックサイズ等）を制御してもよい。この場合、ＵＥは、ＤＣＩで送信されたＨＡＲＱ−ＡＣＫの送信タイミングに関する情報に基づいて指定されるスロット（例えば、候補オケージョンの最後のスロット＋Ｋ１）で送信するＨＡＲＱ−ＡＣＫコードブックにおいて有効となるＨＡＲＱ−ＡＣＫ（valid  ACK/NACK）を含め、他のスロットで送信されるＨＡＲＱ−ＡＣＫコードブックではＮＡＣＫを含めて送信してもよい。
【００４４】
例えば、候補オケージョン＃６において、ＤＣＩ（例えば、スロット＃ｎ−９で送信されるＤＣＩ）に含まれるＫ１が６と通知された場合を想定する。この場合、スロット＃ｎ（＝スロット＃ｎ−６＋Ｋ１）が候補オケージョン＃６のＰＤＳＣＨに対するＨＡＲＱ−ＡＣＫのフィードバックタイミングに相当する。
【００４５】
そのため、ＵＥは、スロット＃ｎにおいて候補オケージョン＃６で受信したＰＤＳＣＨに対するＨＡＲＱ−ＡＣＫ（例えば、ＡＣＫ）をＨＡＲＱ−ＡＣＫコードブックに含めて送信する。一方で、ＵＥは、他のスロット（Ｋ１＝６以外の場合）において、候補オケージョン＃６に対応するＨＡＲＱ−ＡＣＫをＮＡＣＫとして送信してもよい。あるいは、他のスロットにおいても、スロット＃ｎと同様に実際のＰＤＳＣＨに対するＨＡＲＱ−ＡＣＫ内容をコードブックに含めて送信してもよい。
【００４６】
＜構成２＞
構成２では、所定範囲（例えば、１スロット）において、異なるＴＢを送信する複数のＰＤＳＣＨのスケジューリング（又は、送信）がサポートされる場合を想定する。例えば、図３では、スロット＃ｎ−４において候補オケージョン＃１−＃４が設定されるが、実際に送信されるＴＢ（又は、ユニキャストのＰＤＳＣＨ）が複数スケジューリングされてもよい。一方で、１スロット内において異なるＴＢが送信される場合、当該異なるＴＢが同じシンボルに重複しない構成としてもよい。つまり、異なるＴＢが、１スロットに含まれる異なるシンボル（non-overlapping  symbol）に割当てられるように制御する。
【００４７】
図４は、候補オケージョンを構成する各スロットにおいてＰＤＳＣＨ（例えば、ユニキャストＰＤＳＣＨ）がスケジューリングされる場合の一例を示している。図４Ａでは、候補オケージョン＃１が連続するスロット＃ｎ−４〜＃ｎ−１に設定され、候補オケージョン＃２が連続するスロット＃ｎ−５〜＃ｎ−２に設定される場合を示している。また、候補オケージョン＃１において、各スロットの後半部分にＴＢ＃１を送信するＰＤＳＣＨがそれぞれスケジューリングされ、候補オケージョン＃２において、各スロットの前半部分にＴＢ＃２を送信するＰＤＳＣＨがそれぞれスケジューリングされる。
【００４８】
図４Ｂでは、候補オケージョン＃１において、各スロットの前半部分にＴＢ＃１を送信するＰＤＳＣＨがそれぞれスケジューリングされ、候補オケージョン＃２において、各スロットの後半部分にＴＢ＃２を送信するＰＤＳＣＨがそれぞれスケジューリングされる。
【００４９】
図４Ｃでは、候補オケージョン＃１と候補オケージョン＃２が連続するスロット＃ｎ−４〜＃ｎ−１に設定される場合を示している。また、候補オケージョン＃１において、各スロットの前半部分にＴＢ＃１を送信するＰＤＳＣＨがそれぞれスケジューリングされ、候補オケージョン＃２において、各スロットの後半部分にＴＢ＃２を送信するＰＤＳＣＨがそれぞれスケジューリングされる。
【００５０】
ＵＥは、１スロットにおいて、異なるＴＢに対応する複数のＰＤＳＣＨが送信される（又は、複数のＰＤＳＣＨを受信する）ことを想定して受信処理を行う。また、１スロットにおいて、異なるＴＢに対応する複数のＰＤＳＣＨが重複するシンボルで送信されないと想定して受信処理を行ってもよい。
【００５１】
ネットワーク（例えば、基地局）は、複数の候補オケージョンが同じ時間領域で重複する場合、所定範囲（例えば、１スロット）において異なるＴＢに対応するＰＤＳＣＨがオーバーラップするようにスケジューリングを行ってもよい。一方で、１スロットにおいて、異なるＴＢに対応する複数のＰＤＳＣＨが重複するシンボルに割当てられないようにスケジューリングを制御してもよい。これにより、リソースの利用効率を向上し、通信のスループットを向上することが可能となる。
【００５２】
ＵＥは、所定範囲（例えば、１スロット）において、異なるＴＢに対応するＰＤＳＣＨ（例えば、ユニキャストＰＤＳＣＨ）の受信有無に関するＵＥ能力情報を基地局に通知してもよい。基地局は、ＵＥからのＵＥ能力情報に基づいて、ＰＤＳＣＨのスケジューリングを制御してもよい。例えば、１スロットにおいて異なるＴＢに対応するＰＤＳＣＨの受信をサポートする旨を通知したＵＥに対しては、異なるＴＢに対応するＰＤＳＣＨを１スロットで重複する構成も考慮してスケジューリングを制御すればよい。
【００５３】
また、ＵＥは、受信したＰＤＳＣＨについて、候補オケージョン毎に（又は、候補オケージョン単位で）ＨＡＲＱ−ＡＣＫの生成及び送信の少なくとも一方を行ってもよい。図４では、候補オケージョン＃１に対応するＰＤＳＣＨ（例えば、スロット＃ｎ−４〜＃ｎ−１で送信されるＰＤＳＣＨ）ついてＨＡＲＱ−ＡＣＫを生成する。
【００５４】
図４に示すように、候補オケージョン＃１において複数のＰＤＳＣＨ（例えば、複数の同一ＴＢ）が送信される場合、ＵＥはソフトコンバイニングを適用して１ビットのＨＡＲＱ−ＡＣＫを生成してもよい。ＵＥは、他の候補オケージョン＃２についても同様にＨＡＲＱ−ＡＣＫを生成すればよい。
【００５５】
ＵＥは、ＨＡＲＱ−ＡＣＫコードブックサイズが準静的に設定される場合（タイプ１のＨＡＲＱ−ＡＣＫコードブック）、候補オケージョン毎にＨＡＲＱ−ＡＣＫのビットを生成して基地局に送信してもよい。
【００５６】
各候補オケージョンに対応するＨＡＲＱ−ＡＣＫの送信タイミングは下り制御情報等を利用してＵＥに通知してもよい。例えば、基地局は、下り制御情報（例えば、ＤＣＩフォーマット１＿０又は１＿１）の所定フィールド（例えば、PDSCH-to-HARQ-timing-indicator  field）を利用してＰＤＳＣＨに対するＨＡＲＱ−ＡＣＫの送信タイミング（例えば、Ｋ１）を通知してもよい。
【００５７】
ＵＥは、基地局から送信されたＨＡＲＱ−ＡＣＫの送信タイミングに関する情報に基づいてＨＡＲＱ−ＡＣＫの送信を制御してもよい。この場合、ＵＥは、候補オケージョンに含まれるスロットのうち最後のスロットを基準としてＨＡＲＱ−ＡＣＫの送信タイミングを判断してもよい。
【００５８】
例えば、ＵＥは、候補オケージョン＃１（スロット＃ｎ−４〜スロット＃ｎ−１の少なくとも一つ）において受信したＰＤＳＣＨに対するＨＡＲＱ−ＡＣＫのタイミングを、スロット＃ｎ−１を基準として決定してもよい。一例として、ＵＥは、スロット＃ｎ−１＋Ｋ１が候補オケージョン＃１のＨＡＲＱ−ＡＣＫ送信タイミングであると判断してもよい。なお、ＨＡＲＱ−ＡＣＫの送信タイミングの基準スロットは、これに限られず候補オケージョンにおいて最後にＤＣＩを受信したスロット等であってもよい。
【００５９】
また、ＨＡＲＱ−ＡＣＫコードブックサイズが準静的に設定される場合、ＰＤＳＣＨに対するＨＡＲＱ−ＡＣＫの複数の送信タイミング候補（例えば、Ｋ１が｛１、２、３、４、５、６、７、８｝）を想定してＨＡＲＱ−ＡＣＫ送信を制御してもよい。この場合、ＵＥは、ＤＣＩで送信されたＨＡＲＱ−ＡＣＫの送信タイミングに関する情報に基づいて指定されるスロット（例えば、候補オケージョンの最後のスロット＋Ｋ１）で送信するＨＡＲＱ−ＡＣＫコードブックにおいて有効となるＨＡＲＱ−ＡＣＫ（valid  ACK/NACK）を含め、他のスロットで送信されるＨＡＲＱ−ＡＣＫコードブックではＮＡＣＫを含めて送信してもよい。
【００６０】
例えば、候補オケージョン＃１において、ＤＣＩ（例えば、スロット＃ｎ−４で送信されるＤＣＩ）に含まれるＫ１が１と通知された場合を想定する。この場合、スロット＃ｎ（＝スロット＃ｎ−１＋Ｋ１）が候補オケージョン＃１のＰＤＳＣＨに対するＨＡＲＱ−ＡＣＫのフィードバックタイミングに相当する。
【００６１】
そのため、ＵＥは、スロット＃ｎにおいて候補オケージョン＃１で受信したＰＤＳＣＨに対するＨＡＲＱ−ＡＣＫ（例えば、ＡＣＫ）をＨＡＲＱ−ＡＣＫコードブックに含めて送信する。一方で、ＵＥは、他のスロット（Ｋ１＝１以外の場合）において、候補オケージョン＃１に対応するＨＡＲＱ−ＡＣＫをＮＡＣＫとして送信してもよい。あるいは、他のスロットにおいても、スロット＃ｎと同様に実際のＰＤＳＣＨに対するＨＡＲＱ−ＡＣＫ内容をコードブックに含めて送信してもよい。
【００６２】
このように、ＰＤＳＣＨが繰り返し送信される場合、候補オケージョン毎にＨＡＲＱ−ＡＣＫの送信処理（例えば、ＨＡＲＱ−ＡＣＫの生成等）を制御することにより、ＨＡＲＱ−ＡＣＫのビット数（コードブックサイズ）の増大を抑制できる。また、候補オケージョンで複数のＰＤＳＣＨ（例えば、同一ＴＢ）が送信される場合、ソフトコンバイニング処理を行うことにより、ＰＤＳＣＨの受信又はＨＡＲＱ−ＡＣＫの送信の成功確率を向上することができる。
【００６３】
基地局は、各ＵＥから送信されるＵＥ能力情報に基づいて、構成１に対応するスケジューリングと構成２に対応するスケジューリングをＵＥ毎に切り替えて適用してもよい。これにより、各ＵＥの能力に基づいてリソースの割当てを行うことができるため、リソースの利用効率を向上することができる。
【００６４】
（第２の態様）
第２の態様では、下り共有チャネル（例えば、ＰＤＳＣＨ）の繰り返し送信毎にＨＡＲＱ−ＡＣＫ送信を制御する。以下の説明では、繰り返し係数Ｋ（aggregationFactorDL）が４である場合、例えば、連続する４スロットにわたってＰＤＳＣＨの候補オケージョンが設定される場合、を例に挙げて説明する。もちろん、適用可能な繰り返し数はこれに限られず、候補オケージョンは非連続のスロットに設定されてもよい。また、複数スロットで送信されるＰＤＳＣＨの各スロットにおける時間リソース割り当て（例えば、ＰＤＳＣＨの割当てシンボル）は、スロット間で同じであってもよいし、違っていてもよい。
【００６５】
図５は、複数のスロット（ここでは、４スロット）にわたってＰＤＳＣＨの候補オケージョンが設定される場合の一例を示している。図５では、ＰＤＳＣＨの候補オケージョン＃１−６が上記図２又は図３と同様に設定される。ＵＥは、ＰＤＳＣＨのスケジューリングを指示するＤＣＩと、基地局から通知される繰り返し係数Ｋ（ここでは、Ｋ＝４）に基づいて、各候補オケージョンが設定される位置及び範囲の少なくとも一方を認識してもよい。
【００６６】
ＵＥは、受信したＰＤＳＣＨについて、繰り返し送信毎（又は、繰り返し送信単位で）ＨＡＲＱ−ＡＣＫの生成及び送信の少なくとも一方を行ってもよい。つまり、ＵＥは、候補オケージョンに複数のスロットが含まれる場合、繰り返し送信が行われるスロット毎にＨＡＲＱ−ＡＣＫを生成してもよい。このように、繰り返し送信毎にＨＡＲＱ−ＡＣＫの送信を行うことにより、送信毎の受信成功又は受信失敗を詳細に把握することができる。
【００６７】
ＵＥは、ＨＡＲＱ−ＡＣＫコードブックサイズが準静的に設定される場合（タイプ１のＨＡＲＱ−ＡＣＫコードブック）、候補オケージョン＃１に対応する４つの繰り返し送信の候補（スロット＃ｎ−４〜＃ｎ−１）毎にそれぞれ１ビットのＨＡＲＱ−ＡＣＫを生成してもよい。候補オケージョン＃２−＃６についても同様に繰り返し送信毎にＨＡＲＱ−ＡＣＫを生成してもよい。
【００６８】
各繰り返し送信に対応するＨＡＲＱ−ＡＣＫの送信タイミングは下り制御情報等を利用してＵＥに通知してもよい。例えば、基地局は、下り制御情報（例えば、ＤＣＩフォーマット１＿０又は１＿１）の所定フィールド（例えば、PDSCH-to-HARQ-timing-indicator  field）を利用してＰＤＳＣＨに対するＨＡＲＱ−ＡＣＫの送信タイミング（例えば、Ｋ１）を通知してもよい。
【００６９】
ＵＥは、基地局から送信されたＨＡＲＱ−ＡＣＫの送信タイミングに関する情報に基づいて各繰り返し送信に対応するＨＡＲＱ−ＡＣＫの送信を制御してもよい。なお、ＵＥは、所定の候補オケージョンにおいて１つ（又は、共通）のＨＡＲＱ−ＡＣＫの送信タイミングしか通知されない場合も考えられる。
【００７０】
かかる場合、ＵＥは、所定の候補オケージョンに含まれる各繰り返し送信のＨＡＲＱ−ＡＣＫのフィードバックタイミングが同じ（例えば、１つのＤＣＩで指定されたタイミング）であると判断してもよい。なお、タイプ１のＨＡＲＱ−ＡＣＫコードブックを適用する場合、ＵＥは、１つのＤＣＩで指定されたタイミングで各繰り返し送信に対応する有効なＨＡＲＱ−ＡＣＫ（valid  ACK/NACK）を送信するように制御してもよい。
【００７１】
また、複数の候補オケージョンが時間方向において重複する場合、所定範囲（例えば、１スロット）において、異なるＴＢを送信する複数のＰＤＳＣＨのスケジューリング（又は、送信）がサポートされない構成（構成１）とサポートされる構成（構成２）が考えられる。第２の態様（例えば、図５に示すＨＡＲＱ−ＡＣＫフィードバック）は、構成１と構成２のいずれにも適用することができる。構成１は１スロットにおいて異なるＴＢに対応する複数のＰＤＳＣＨを受信する能力を有しないＵＥに適用し、構成２は当該ＵＥ能力を有するＵＥに適用してもよい。
【００７２】
構成１を適用する場合、ＵＥは、１スロットにおいて異なるＴＢに対応する複数のＰＤＳＣＨを受信することは想定せずにＰＤＳＣＨ受信処理を行うと共に、繰り返し送信毎にＨＡＲＱ−ＡＣＫの送信処理を行う。構成２を適用する場合、ＵＥは、１スロットにおいて異なるＴＢに対応する複数のＰＤＳＣＨを受信することを想定してＰＤＳＣＨ受信処理を行うと共に、繰り返し送信毎にＨＡＲＱ−ＡＣＫの送信処理を行う。なお、構成２では、１スロットにおいて異なるＴＢに対応する複数のＰＤＳＣＨが同じシンボルで重複しないように制御してもよい。
【００７３】
（第３の態様）
第３の態様では、下り共有チャネル（例えば、ＰＤＳＣＨ）の繰り返しリソース毎にＨＡＲＱ−ＡＣＫ送信を制御する。以下の説明では、繰り返し係数Ｋ（aggregationFactorDL）が４である場合、例えば、連続する４スロットにわたってＰＤＳＣＨの候補オケージョンが設定される場合、を例に挙げて説明する。もちろん、適用可能な繰り返し数はこれに限られず、候補オケージョンは非連続のスロットに設定されてもよい。また、複数スロットで送信されるＰＤＳＣＨの各スロットにおける時間リソース割り当て（例えば、ＰＤＳＣＨの割当てシンボル）は、スロット間で同じであってもよいし、違っていてもよい。
【００７４】
図６は、複数のスロット（ここでは、４スロット）にわたってＰＤＳＣＨの候補オケージョンが設定される場合の一例を示している。図６では、ＰＤＳＣＨの候補オケージョン＃１−６が上記図２又は図３と同様に設定される。ＵＥは、ＰＤＳＣＨのスケジューリングを指示するＤＣＩと、基地局から通知される繰り返し係数Ｋ（ここでは、Ｋ＝４）に基づいて、各候補オケージョンが設定される位置及び範囲の少なくとも一方を認識してもよい。
【００７５】
ＵＥは、受信したＰＤＳＣＨについて、繰り返しリソース毎（又は、繰り返しリソース単位で）ＨＡＲＱ−ＡＣＫの生成及び送信の少なくとも一方を行ってもよい。繰り返しリソースは、所定期間（例えば、スロット）であってもよく、例えば、スロット単位でＨＡＲＱ−ＡＣＫの送信を制御してもよい（図６参照）。この場合、少なくとも一つのマルチスロットＰＤＳＣＨが設定され得るスロット（少なくとも一つの候補オケージョンが設定されるスロット）においてＨＡＲＱ−ＡＣＫを生成すればよい。
【００７６】
ＵＥは、ＨＡＲＱ−ＡＣＫコードブックサイズが準静的に設定される場合（タイプ１のＨＡＲＱ−ＡＣＫコードブック）、繰り返しリソース（例えば、各スロット）毎にそれぞれ１ビットのＨＡＲＱ−ＡＣＫを生成してもよい。図６では、スロット＃ｎ−０〜スロット＃ｎ−１において、スロット毎にＨＡＲＱ−ＡＣＫを別々に生成する場合を示している。これにより、ＨＡＲＱ−ＡＣＫのビット数（コードブックサイズ）の増大を抑制できる。
【００７７】
また、複数の候補オケージョンが時間方向において重複する場合、所定範囲（例えば、１スロット）において、異なるＴＢを送信する複数のＰＤＳＣＨのスケジューリング（又は、送信）がサポートされない構成（構成１）とサポートされる構成（構成２）が考えられる。第３の態様（例えば、図６に示すＨＡＲＱ−ＡＣＫフィードバック）は、構成１と構成２のいずれにも適用することができる。構成１は１スロットにおいて異なるＴＢに対応する複数のＰＤＳＣＨを受信する能力を有しないＵＥに適用し、構成２は当該ＵＥ能力を有するＵＥに適用してもよい。
【００７８】
構成１を適用する場合、ＵＥは、１スロットにおいて異なるＴＢに対応する複数のＰＤＳＣＨを受信することは想定せずにＰＤＳＣＨ受信処理を行うと共に、繰り返し送信毎にＨＡＲＱ−ＡＣＫの送信処理を行う。これにより、各スロットで送信されるＰＤＳＣＨ（ＴＢ）は１つとなるため、基地局はスロット単位で送信されるＨＡＲＱ−ＡＣＫを受信することにより、各ＴＢ（候補オケージョン）に対するＨＡＲＱ−ＡＣＫを適切に把握することができる。
【００７９】
構成２を適用する場合、ＵＥは、１スロットにおいて異なるＴＢに対応する複数のＰＤＳＣＨを受信することを想定してＰＤＳＣＨ受信処理を行うと共に、繰り返し送信毎にＨＡＲＱ−ＡＣＫの送信処理を行う。なお、構成２では、１スロットにおいて異なるＴＢに対応する複数のＰＤＳＣＨが同じシンボルで重複しないように制御してもよい。また、ＨＡＲＱ−ＡＣＫの送信制御単位も所定のシンボル数単位としてもよい。
【００８０】
（無線通信システム）
以下、本実施の形態に係る無線通信システムの構成について説明する。この無線通信システムでは、上記複数の態様の少なくとも一つの組み合わせを用いて通信が行われる。
【００８１】
図７は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００８２】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００８３】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００８４】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【００８５】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００８６】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００８７】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、フィルタリング処理、ウィンドウイング処理などの少なくとも１つを示してもよい。
【００８８】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００８９】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００９０】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９１】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００９２】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００９３】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００９４】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００９５】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【００９６】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【００９７】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００９８】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【００９９】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１００】
＜無線基地局＞
図８は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１０１】
下りリンクによって無線基地局１０からユーザ端末２０に送信されるユーザデータは、上位局装置３０から伝送路インターフェース１０６を介してベースバンド信号処理部１０４に入力される。
【０１０２】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１０３】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１０４】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１０５】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１０６】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１０７】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦを適用できるように構成されている。
【０１０８】
また、送受信部１０３は、ユーザ端末２０に対して下り（ＤＬ）信号（ＤＬデータ信号（下り共有チャネル）、ＤＬ制御信号（下り制御チャネル）、ＤＬ参照信号の少なくとも一つを含む）を送信し、当該ユーザ端末２０からの上り（ＵＬ）信号（ＵＬデータ信号、ＵＬ制御信号、ＵＬ参照信号の少なくとも一つを含む）を受信する。
【０１０９】
また、送受信部１０３は、複数のスロットにわたって候補オケージョンが設定される１以上の下り共有チャネルを送信する。例えば、送受信部１０３は、候補オケージョンとなる複数スロットの少なくとも一つのスロットにおいてＰＤＳＣＨを送信すればよい。送受信部１０３は、候補オケージョン単位、スロット単位、及び下り共有チャネルの送信単位の少なくとも一つに基づいて生成される下り共有チャネルに対する送達確認信号を受信する。
【０１１０】
また、送受信部１０３は、１スロットにおいて異なるトランスポートブロックに対応する下り共有チャネルが重複しないように下り共有チャネルを送信してもよい。あるいは、送受信部１０３は、１スロットにおいて異なるトランスポートブロックに対応する下り共有チャネルを送信する場合、異なるトランスポートブロックに対応する下り共有チャネルが同一シンボルで重複しないように下り共有チャネルを送信してもよい。
【０１１１】
図９は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０１１２】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１１３】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１１４】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１１５】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１１６】
制御部３０１は、１スロットにおいて異なるトランスポートブロックに対応する下り共有チャネルが割当てられないように下り共有チャネルのスケジューリングを制御してもよい。あるいは、制御部３０１は、１スロットにおいて異なるトランスポートブロックに対応する下り共有チャネルの割当てを行う場合、異なるトランスポートブロックに対応する下り共有チャネルが同一シンボルで重複しないように下り共有チャネルのスケジューリングを制御してもよい。また、制御部３０１は、１スロットにおける異なるＴＢに対応するＰＤＳＣＨのスケジューリングの適用有無をＵＥ能力情報に基づいてＵＥ毎に切り替えて制御してもよい。
【０１１７】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１１８】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１１９】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１２０】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１２１】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１２２】
測定部３０５は、受信した信号に関する測定を実施する。測定部３０５は、本開示に係る技術分野での共通認識に基づいて説明される測定器、測定回路又は測定装置から構成することができる。
【０１２３】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１２４】
＜ユーザ端末＞
図１０は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１２５】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１２６】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１２７】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１２８】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１２９】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦを適用できるように構成されている。
【０１３０】
また、送受信部２０３は、無線基地局１０から下り（ＤＬ）信号（ＤＬデータ信号（下り共有チャネル）、ＤＬ制御信号（下り制御チャネル）、ＤＬ参照信号の少なくとも一つを含む）を受信し、無線基地局１０に対して上り（ＵＬ）信号（ＵＬデータ信号、ＵＬ制御信号、ＵＬ参照信号の少なくとも一つを含む）を送信する。
【０１３１】
また、送受信部２０３は、複数のスロットにわたって候補オケージョンが設定される１以上の下り共有チャネルを受信する。例えば、送受信部２０３は、候補オケージョンとなる複数スロットをモニタし、少なくとも一つのスロットにおいてＰＤＳＣＨを受信してもよい。送受信部２０３は、候補オケージョン単位、スロット単位、及び下り共有チャネルの送信単位の少なくとも一つに基づいて生成される下り共有チャネルに対する送達確認信号を送信する。
【０１３２】
また、送受信部２０３は、１スロットにおいて異なるトランスポートブロックに対応する下り共有チャネルが重複しないと想定して下り共有チャネルを受信してもよい。あるいは、送受信部２０３は、１スロットにおいて異なるトランスポートブロックに対応する下り共有チャネルを受信する場合、異なるトランスポートブロックに対応する下り共有チャネルが同一シンボルで重複しないと想定して下り共有チャネルを受信してもよい。
【０１３３】
図１１は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１３４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１３５】
制御部４０１は、ユーザ端末２０全体の制御を実施する。制御部４０１は、本開示に係る技術分野での共通認識に基づいて説明されるコントローラ、制御回路又は制御装置から構成することができる。
【０１３６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１３７】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１３８】
制御部４０１は、下り共有チャネルに対する送達確認信号の生成（又は、送信）を候補オケージョン単位、スロット単位、及び下り共有チャネルの送信単位の少なくとも一つに基づいて制御する。例えば、制御部４０１は、異なるトランスポートブロックに対応する下り共有チャネルの候補オケージョンが重複する場合、同一スロット内において異なるトランスポートブロックに対応する下り共有チャネルを受信しないと想定してもよい。
【０１３９】
あるいは、制御部４０１は、異なるトランスポートブロックに対応する下り共有チャネルの候補オケージョンが重複する場合、同一スロット内において前記異なるトランスポートブロックに対応する下り共有チャネルの受信を想定してもよい。この場合、制御部４０１は、同一スロット内の同一シンボルにおいて異なるトランスポートブロックに対応する下り共有チャネルを受信しないと想定してもよい。
【０１４０】
また、制御部４０１は、候補オケージョン単位、スロット単位、及び下り共有チャネルの送信単位の少なくとも一つに基づいて送達確認信号のコードブックの生成を制御してもよい。
【０１４１】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１４２】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１４３】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１４４】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１４５】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１４６】
測定部４０５は、受信した信号に関する測定を実施する。測定部４０５は、本開示に係る技術分野での共通認識に基づいて説明される測定器、測定回路又は測定装置から構成することができる。
【０１４７】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１４８】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１４９】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１５０】
例えば、本開示の一実施形態における基地局、ユーザ端末などは、本開示の無線通信方法の処理を行うコンピュータとして機能してもよい。図１２は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１５１】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０１５２】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１５３】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１５４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１５５】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１５６】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１５７】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１５８】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０１５９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１６０】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１６１】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１６２】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１６３】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１６４】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１６５】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１６６】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１６７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１６８】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１６９】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１７０】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１７１】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１７２】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１７３】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１７４】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１７５】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１７６】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１７７】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１７８】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１７９】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１８０】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１８１】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１８２】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１８３】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１８４】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１８５】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１８６】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１８７】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１８８】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１８９】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１９０】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１９１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１９２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１９３】
本開示において使用する「システム」及び「ネットワーク」という用語は、互換的に使用され得る。
【０１９４】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０１９５】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１９６】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１９７】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１９８】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１９９】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２００】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２０１】
同様に、本開示におけるユーザ端末は、基地局で読み替えてもよい。この場合、上述のユーザ端末２０が有する機能を基地局１０が有する構成としてもよい。
【０２０２】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２０３】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２０４】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２０５】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２０６】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２０７】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２０８】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２０９】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１０】
また、「判断（決定）」は、「想定する（assuming）」、「期待する（expecting）」、「みなす（considering）」などで読み替えられてもよい。
【０２１１】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２１２】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２１３】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２１４】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２１５】
本開示において、例えば、英語でのa,  an及びtheのように、翻訳によって冠詞が追加された場合、本開示は、これらの冠詞の後に続く名詞が複数形であることを含んでもよい。
【０２１６】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020017055.tif 000003
【図２】
2020017055.tif 000004
【図３】
2020017055.tif 000005
【図４】
2020017055.tif 000006
【図５】
2020017055.tif 000007
【図６】
2020017055.tif 000008
【図７】
2020017055.tif 000009
【図８】
2020017055.tif 000010
【図９】
2020017055.tif 000011
【図１０】
2020017055.tif 000012
【図１１】
2020017055.tif 000013
【図１２】
2020017055.tif 000014
【国際調査報告】
2020017055.tif 000015
2020017055.tif 000016
2020017055.tif 000017